【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
ジェスチャ検知方法であって、前記ジェスチャ検知方法は、
タッチ感応性モジュールによって入力オブジェクトのタッチ位置を検知することと、
非接触式３次元検出システムによって、前記タッチモジュールに触れる前記入力オブジェクトの位置の特徴的なパラメータを判定することと、
前記入力オブジェクトの前記タッチ位置と前記位置の特徴的なパラメータとに応じて、入力モードを選択することと、
前記特徴的なパラメータの計算後、または、それぞれのタッチの解放に従ってのいずれかで、入力文字を入力することと
を含む、ジェスチャ検知方法。
【請求項２】
前記非接触式検出システムは、前記タッチモジュールの周りに配列された複数のセンサ電極と、前記タッチモジュールの上の領域において電場を生成するように構成された伝送電極とを備え、前記特徴的なパラメータは、前記複数のセンサ電極で受信される信号に応じる、請求項１に記載のジェスチャ検知方法。
【請求項３】
入力モードは、３次元検出センサシステムのパラメータ変化の検知時に切り替えられる、請求項１に記載のジェスチャ検知方法。
【請求項４】
前記パラメータは、タッチを行う入力オブジェクトの仰角レベルによって判定される、請求項１に記載のジェスチャ検知方法。
【請求項５】
前記入力オブジェクトは、手であり、前記パラメータは、モバイルデバイスを保持する前記手から指を持ち上げることによって判定される、請求項１に記載のジェスチャ検知方法。
【請求項６】
前記入力オブジェクトは、手であり、前記パラメータは、前記タッチを行う前記手の方位角によって判定される、請求項１に記載のジェスチャ検知方法。
【請求項７】
第１の仰角は、第１の入力モードを選択し、第２の仰角は、第２の入力モードを選択する、請求項４に記載のジェスチャ検知方法。
【請求項８】
第１の方位角は、第１の入力モードを選択し、第２の方位角は、第２の入力モードを選択する、請求項６に記載のジェスチャ検知方法。
【請求項９】
ジェスチャ検知システムであって、前記ジェスチャ検知システムは、
タッチ感応性表面および非接触式検知システムを含む入力デバイスと、
ユーザ入力オブジェクトの３次元空間における位置についての特徴的なパラメータを判定し、かつ、前記ユーザ入力オブジェクトの前記位置に基づいて前記入力デバイスの動作モードを選択するように構成されたコントローラと
を備える、ジェスチャ検知システム。
【請求項１０】
前記非接触式検出システムは、タッチモジュールの周りに配列された複数のセンサ電極と、前記タッチモジュールの上の領域において電場を生成するように構成された伝送電極とを備え、前記特徴的なパラメータは、前記複数のセンサ電極で受信される信号に応じる、請求項９に記載のジェスチャ検知システム。
【請求項１１】
前記入力デバイスは、タッチ感応性ディスプレイである、請求項９に記載のジェスチャ検知システム。
【請求項１２】
前記ユーザ入力オブジェクトの３次元空間における前記位置を判定することは、前記ユーザ入力オブジェクトの方位角を判定することと、前記方位角に基づいてグラフィカルユーザインターフェース上の文字を選択することとを含む、請求項１０に記載のジェスチャ検知システム。
【請求項１３】
前記ユーザ入力オブジェクトの３次元空間における前記位置を判定することは、前記ユーザ入力オブジェクトの仰角を判定することと、前記仰角に基づいてグラフィカルユーザインターフェース上の文字を選択することとを含む、請求項１０に記載のジェスチャ検知システム。
【請求項１４】
前記コントローラは、第２のユーザ入力オブジェクトの３次元空間における位置を判定し、かつ、前記第２のユーザ入力オブジェクトの前記位置に基づいて前記入力デバイスの動作モードを選択するように構成されている、請求項１０に記載のジェスチャ検知システム。
【請求項１５】
前記入力デバイスの前記動作モードは、前記ユーザ入力オブジェクトの３次元空間における前記位置に基づいて、オプションメニューを表示することを含む、請求項１０に記載のジェスチャ検知システム。
【請求項１６】
タイプされたテキストと、前記ユーザ入力オブジェクトの３次元空間における前記位置との検知に応答してアクセス可能な辞書をさらに備える、請求項１０に記載のジェスチャ検知システム。
【請求項１７】
前記ユーザ入力オブジェクトの３次元空間における前記位置に基づいて、前記タイプされたテキストと関連付けられる前記辞書からの１つ以上の自動補完オプションを提供するようにさらに構成されている、請求項１６に記載のジェスチャ検知システム。
【手続補正２】
【補正対象書類名】明細書
【補正対象項目名】０００９
【補正方法】変更
【補正の内容】
【０００９】
本開示のこれらおよび他の局面は、下記の説明および添付図面と併せて考慮されるときにより良好に認識および理解される。しかしながら、下記の説明は、本開示の種々の実施形態およびそれらの多数の具体的詳細を示すが、限定ではなく例証として与えられることが、理解されるべきである。多くの置換、改変、追加、および／または、再構成が、それの精神から逸脱することなく本開示の範囲内で行われ得、本開示は、全てのそのような置換、改変、追加、および／または、再構成を含む。
本願明細書は、例えば、以下の項目も提供する。
（項目１）
ジェスチャ検知方法であって、前記ジェスチャ検知方法は、
入力オブジェクトのタッチ位置を検知することと、
前記タッチ位置、および、入力オブジェクトの位置の特徴的なパラメータに応じて、入力モードを選択することと、
前記特徴的なパラメータの計算後、または、それぞれのタッチの解放に従ってのいずれかで、入力文字を入力することと
を含む、ジェスチャ検知方法。
（項目２）
入力モードは、３次元センサシステムのパラメータ変化の検知時に切り替えられる、項目１に記載のジェスチャ検知方法。
（項目３）
前記パラメータは、タッチを行う入力オブジェクトの仰角レベルによって判定される、項目１に記載のジェスチャ検知方法。
（項目４）
前記入力オブジェクトは、手であり、前記パラメータは、モバイルデバイスを保持する前記手から指を持ち上げることによって判定される、項目１に記載のジェスチャ検知方法。
（項目５）
前記入力オブジェクトは、手であり、前記パラメータは、前記タッチを行う前記手の方位角によって判定される、項目１に記載のジェスチャ検知方法。
（項目６）
第１の仰角は、第１の入力モードを選択し、第２の仰角は、第２の入力モードを選択する、項目３に記載のジェスチャ検知方法。
（項目７）
第１の方位角は、第１の入力モードを選択し、第２の方位角は、第２の入力モードを選択する、項目５に記載のジェスチャ検知方法。
（項目８）
ジェスチャ検知システムであって、前記ジェスチャ検知システムは、
タッチ感応性表面および非接触式検知システムを含む入力デバイスと、
ユーザ入力オブジェクトの３次元空間における位置についての特徴的なパラメータを判定し、かつ、前記ユーザ入力オブジェクトの前記位置に基づいて前記入力デバイスの動作モードを選択するように構成されたコントローラと
を備える、ジェスチャ検知システム。
（項目９）
前記入力デバイスまたは前記接続されたシステムは、グラフィカルユーザインターフェースを含む、項目８に記載のジェスチャ検知システム。
（項目１０）
前記ユーザ入力オブジェクトの３次元空間における前記位置を判定することは、前記ユーザ入力オブジェクトの方位角を判定することと、前記方位角に基づいて前記グラフィカルユーザインターフェース上の文字を選択することとを含む、項目９に記載のジェスチャ検知システム。
（項目１１）
前記ユーザ入力オブジェクトの３次元空間における前記位置を判定することは、前記ユーザ入力オブジェクトの仰角を判定することと、前記仰角に基づいて前記グラフィカルユーザインターフェース上の文字を選択することとを含む、項目９に記載のジェスチャ検知システム。
（項目１２）
前記コントローラは、第２のユーザ入力オブジェクトの３次元空間における位置を判定し、かつ、前記第２のユーザ入力オブジェクトの前記位置に基づいて前記入力デバイスの動作モードを選択するように構成される、項目９に記載のジェスチャ検知システム。
（項目１３）
前記入力デバイスの前記動作モードは、前記ユーザ入力オブジェクトの３次元空間における前記位置に基づいて、オプションメニューを表示することを含む、項目９に記載のジェスチャ検知システム。
（項目１４）
タイプされたテキストと、前記ユーザ入力オブジェクトの３次元空間における前記位置との検知に応答してアクセス可能な辞書をさらに備える、項目９に記載のジェスチャ検知システム。
（項目１５）
前記ユーザ入力オブジェクトの３次元空間における前記位置に基づいて、前記タイプされたテキストと関連付けられる前記辞書からの１つ以上の自動補完オプションを提供するようにさらに構成される、項目１４に記載のジェスチャ検知システム。
（項目１６）
電子デバイスであって、前記電子デバイスは、
タッチ感応性表面および非接触式検知システムを含む入力デバイスと、
前記入力デバイスを使用して選択を表示するための表示デバイスと、
前記タッチ感応性表面に対するユーザ入力オブジェクトの３次元空間における位置と関連付けられるパラメータを判定し、かつ、前記ユーザ入力オブジェクトの前記位置に基づいて前記入力デバイスの動作モードを選択するように構成されたコントローラと
を備える、電子デバイス。
（項目１７）
前記ユーザ入力オブジェクトの３次元空間における前記位置と関連付けられるパラメータを判定することは、前記ユーザ入力オブジェクトの方位角を判定することと、前記方位角に基づいて前記グラフィカルユーザインターフェース上の文字を選択することとを含む、項目１６に記載の電子デバイス。
（項目１８）
前記ユーザ入力オブジェクトの３次元空間における前記位置と関連付けられるパラメータを判定することは、前記ユーザ入力オブジェクトの仰角を判定することと、前記仰角に基づいて前記グラフィカルユーザインターフェース上の第１の文字または第２の文字を選択することとを含む、項目１６に記載の電子デバイス。
（項目１９）
前記コントローラは、第２のユーザ入力オブジェクトの３次元空間における位置と関連付けられるパラメータを判定し、かつ、前記第２のユーザ入力オブジェクトの前記位置に基づいて前記入力デバイスの動作モードを選択するように構成される、項目１６に記載の電子デバイス。
（項目２０）
前記入力デバイスの前記動作モードは、前記ユーザ入力オブジェクトの３次元空間における前記位置に基づいて、オプションメニューを表示することを含む、項目１６に記載の電子デバイス。
（項目２１）
タイプされたテキストと前記パラメータとの検知に応答してアクセス可能な辞書をさらに備える、項目１６に記載の電子デバイス。
（項目２２）
前記コントローラは、前記パラメータに基づいて、前記タイプされたテキストと関連付けられる前記辞書からの１つ以上の自動補完オプションを提供するようにさらに構成される、項目２１に記載の電子デバイス。
（項目２３）
方法であって、前記方法は、
タッチ位置を検知することと、
３次元空間におけるユーザ入力オブジェクトの位置関連パラメータを検知することと、
前記タッチ位置および前記位置関連パラメータに基づいて、電子デバイスの動作モードを選択することと
を含む、方法。
（項目２４）
前記動作モードは、前記位置関連パラメータに基づいて、グラフィカルユーザインターフェース上の第１の文字または第２の文字を選択することを含む、項目２３に記載の方法。
（項目２５）
前記位置関連パラメータは、前記ユーザ入力オブジェクトの方位角を含む、項目２３に記載の方法。
（項目２６）
前記位置関連パラメータは、前記ユーザ入力オブジェクトの仰角を含む、項目２３に記載の方法。
（項目２７）
３次元空間における第２のユーザ入力オブジェクトの位置関連パラメータを検知することと、３次元空間における前記第２のユーザ入力オブジェクトの前記位置関連パラメータに基づいて、前記電子デバイスの動作モードを選択することとをさらに含む、項目２６に記載の方法。
（項目２８）
３次元空間における第２のユーザ入力オブジェクトの位置関連パラメータを検知することと、３次元空間における前記第２のユーザ入力オブジェクトの前記位置関連パラメータに基づいて、前記電子デバイスの動作モードを選択することとをさらに含む、項目２５に記載の方法。
（項目２９）
前記動作モードを選択することは、前記位置関連パラメータに基づいて前記グラフィカルユーザインターフェース上の１つ以上の制御を選択することを含む、項目２３に記載の方法。
（項目３０）
タイプされたテキストと前記位置関連パラメータとの検知に応答して、辞書にアクセスすることをさらに含む、項目２３に記載の方法。
（項目３１）
前記位置関連パラメータに基づいて、前記タイプされたテキストと関連付けられる前記辞書からの１つ以上の自動補完オプションを提供することをさらに含む、項目３０に記載の方法。
（項目３２）
第１の位置情報および第２の位置情報は、イベント駆動型多重化を使用して判定される、項目３０に記載の方法。